(57)【要約】      （修正有）【課題】生体音取得装置に好適なグリップを提供する。【解決手段】生体音取得装置のグリップ１０は、生体音を取得するセンサ部２０の一部を露出させるように形成された開口１１ａを有し、センサ部２０をその外周側から覆うセンサ収容部と、センサ収容部の開口が形成されている側とは反対側から、開口を含む面の法線方向に沿って延びる首部１２と、首部のセンサ収容部側とは反対側に接続され、首部が延びる方向と交わる方向に延びる柄部１３と、を備える。【選択図】図２
2017060667.tif 000002
【特許請求の範囲】
【請求項１】
生体音を取得するセンサ部の一部を露出させるように形成された開口を有し、前記センサ部をその外周側から覆うセンサ収容部と、
前記センサ収容部の前記開口が形成されている側とは反対側から、前記開口を含む面の法線方向に沿って延びる首部と、
前記首部の前記センサ収容部側とは反対側に接続され、前記首部が延びる方向と交わる方向に延びる柄部と、
を備えることを特徴とする生体音取得装置のグリップ。
【請求項２】
前記柄部の前記首部と接続されている部位から離れた位置において、前記センサ収容部から離れる方向に突出する突起部を更に備えることを特徴とする請求項１に記載の生体音取得装置のグリップ。
【請求項３】
前記柄部に、前記センサ収容部に向かって窪んだ凹部が形成されていることを特徴とする請求項１又は２に記載の生体音取得装置のグリップ。
【請求項４】
前記首部の径は、前記首部が延びる方向において、前記首部の端部から前記首部の中央に向かって小さくなることを特徴とする請求項１乃至３のいずれか一項に記載の生体音取得装置のグリップ。
【請求項５】
前記突起部に、孔が形成されていることを特徴とする請求項２に記載の生体音取得装置のグリップ。
【発明の詳細な説明】
【技術分野】
【０００１】
本発明は、例えば電子聴診器等の生体音取得装置のグリップの技術分野に関する。
【背景技術】
【０００２】
この種の装置として、例えば、夫々ユーザの親指と少なくとも他の１本の指を受ける左右の窪んだ握り面を有する電子聴診器の胸部部品が提案されている（特許文献１参照）。
【先行技術文献】
【特許文献】
【０００３】
【特許文献１】特表２０００−５０１９５０号公報
【発明の概要】
【発明が解決しようとする課題】
【０００４】
この種の装置は、例えば上記特許文献１にも記載されているように、電子化される前の器具の形状に似せて作られることが多い。電子化された製品の形状を以前の器具の形状に似せることにより、該電子化された製品を初めて使用するユーザの違和感を軽減することができる。他方で、電子化される前の器具の形状は、生体音を機械的に適切に聴き取ることに主眼を置いて設計されたものであって、本来、医師が使用したい形状として適しているとは必ずしも言えない。
【０００５】
本発明は、例えば上記問題点に鑑みてなされたものであり、電子化された製品としての生体音取得装置に好適なグリップを提供することを課題とする。
【課題を解決するための手段】
【０００６】
本発明の生体音取得装置のグリップは、上記課題を解決するために、生体音を取得するセンサ部の一部を露出させるように形成された開口を有し、前記センサ部をその外周側から覆うセンサ収容部と、前記センサ収容部の前記開口が形成されている側とは反対側から、前記開口を含む面の法線方向に沿って延びる首部と、前記首部の前記センサ収容部側とは反対側に接続され、前記首部が延びる方向と交わる方向に延びる柄部と、を備える。
【０００７】
本発明の作用及び他の利得は次に説明する実施するための形態から明らかにされる。
【図面の簡単な説明】
【０００８】
【図１】実施例に係る電子聴診器の構成を示すブロック図である。
【図２】実施例に係る電子聴診器のグリップの外観図である。
【図３】実施例に係る電子聴診器のグリップの一部を拡大して示す拡大断面図である。
【図４】実施例に係る電子聴診器のグリップの持ち方の一例を示す図である。
【発明を実施するための形態】
【０００９】
本発明の生体音取得装置のグリップに係る実施形態について説明する。
【００１０】
実施形態に係る生体音取得装置のグリップは、生体音を取得するセンサ部の一部を露出させるように形成された開口を有し、該センサ部をその外周側から覆うセンサ収容部と、該センサ収容部の開口が形成されている側とは反対側から、開口を含む面の法線方向に沿って延びる首部と、該首部のセンサ収容部側とは反対側に接続され、首部が延びる方向と交わる方向に延びる柄部と、を備える。
【００１１】
ここで、「開口を含む面の法線方向に沿って延びる」とは、法線方向に平行に延びるという意味に限らず、法線方向に沿っていると実践上みなせる限りにおいて、法線方向から大なり小なりずれた方向に延びる場合も含む。
【００１２】
ユーザが、例えば、当該グリップの首部を親指と人差し指（更には、中指）とで摘み、当該グリップの柄部が掌に接するように持てば、ユーザが当該グリップを備える生体音取得装置を安定して持つことができる。また、当該グリップのセンサ収容部の他に、首部及び柄部の内部にも電子回路等を配置することができるので、例えば電子回路の配置の自由度を高めることができ、実用上非常に有利である。
【００１３】
実施形態に係る生体音取得装置のグリップの一態様では、当該グリップは、柄部の首部と接続されている部位から離れた位置において、センサ収容部から離れる方向に突出する突起部を更に備える。
【００１４】
当該グリップをユーザが持ったときに、該ユーザの掌に当たるように突起部を設ければ、柄部を比較的小さく形成した場合であっても、ユーザが当該グリップを備える生体音取得装置を安定して持つことができると共に、当該グリップの小型化を図ることができる。
【００１５】
この態様では、突起部に、孔が形成されていてよい。
【００１６】
突起部に形成された孔に、例えば紐を通せば、例えば当該グリップを備える生体音取得装置を携行する際に便利であると共に、該生体音取得装置の落下を防止することができる。
【００１７】
実施形態に係る生体音取得装置のグリップの他の態様では、当該グリップの柄部に、センサ収容部に向かって窪んだ凹部が形成されている。
【００１８】
ユーザが、例えば、当該グリップを持つ際に、柄部に形成された凹部に親指を添えれば、当該グリップを備える生体音取得装置の回転を防止することができ、実用上非常に有利である。
【００１９】
実施形態に係る生体音取得装置のグリップの他の態様では、当該グリップの首部の径は、該首部が延びる方向において、該首部の端部から該首部の中央に向かって小さくなる。
【００２０】
この態様によれば、ユーザが、例えば当該グリップの首部を親指と人差し指とで摘まんだ際の安定性を向上させることができる。
【実施例】
【００２１】
本発明の生体音取得装置のグリップに係る実施例を図面に基づいて説明する。本実施例では、生体音取得装置の一例として電子聴診器を挙げる。
【００２２】
（電子聴診器の構成）
実施例に係る電子聴診器の構成について、図１を参照して説明する。図１は、実施例に係る電子聴診器の構成を示すブロック図である。
【００２３】
図１において、電子聴診器２００は、信号取得部２１と、バンドパスフィルタ２２と、該バンドパスフィルタ２２に係る遮断周波数を調整する遮断周波数調整部２３と、パワーアンプ２４と、該パワーアンプのゲインを調整する音量調整部２５と、イヤフォン２６とを備えて構成されている。尚、信号取得部２１等には、公知の各種態様を適用可能であるので、その詳細についての説明は割愛する。
【００２４】
（グリップの形状）
次に、実施例に係る電子聴診器２００のグリップの形状について、図２及び図３を参照して説明する。図２は、実施例に係る電子聴診器のグリップの外観図である。図２（ａ）は、グリップの上面図であり、図２（ｂ）は、グリップの正面図であり、図２（ｃ）は、グリップの下面図であり、図２（ｄ）は、グリップの側面図であり、図２（ｅ）は、グリップの背面図である。図３は、実施例に係るグリップの一部を拡大して示す拡大断面図である。
【００２５】
図２において、電子聴診器２００のグリップ１０は、本発明に係る「センサ収容部」の一例としての、センサリング部１１、首部１２及び柄部１３を備えて構成されている。
【００２６】
センサリング部１１は、図３に示すように、電子聴診器２００のセンサモジュール２０を、その外周側から覆っている。尚、センサモジュール２０には、信号取得部２１（図１参照）が少なくとも含まれている。
【００２７】
センサリング部１１は、図３に示すように、センサモジュール２０の一部を露出させるように形成された開口１１ａを有している。尚、センサモジュール２０は、ダンパー２０ａを介してセンサリング部１１に固定されている。
【００２８】
首部１２は、例えば図２（ｄ）に示すように、センサリング部１１の開口１１ａが形成されている側とは反対側から、開口１１ａを含む面（即ち、図２（ｄ）における水平面）の法線方向（即ち、図２（ｄ）における上下方向）に沿って延びている。
【００２９】
ここで特に、首部１２の径は、首部１２が延びる方向において、首部１２の端部から首部１２の中央に向かって小さくなっている（図２（ｂ）、（ｄ）、（ｅ）参照）。このため、当該グリップ１０の首部１２を、ユーザが、例えば親指と人差し指とで摘まんだときに、ユーザの指がすべることを抑制することができる。
【００３０】
柄部１３は、首部１２のセンサリング部１１が接続されている端部とは反対側の端部に接続されている。柄部１３は、首部１２が延びる方向と交わる方向（即ち、図２（ｄ）における左右方向）に延びている。ここで、柄部１３が延びる方向は、ユーザが持ちやすいように、水平面からある程度上向きの方向が望ましい。
【００３１】
柄部１３には、図２（ａ）及び（ｂ）に示すように、センサリング部１１に向かって窪んだ凹部１５が形成されている。凹部１５を設けることにより、例えば電子聴診器２００を被験者に押し当てる際に、ユーザが電子聴診器２００に適切に力を加えることができる。また、ユーザが凹部１５に指を添えることにより、電子聴診器２００の回転を防止することができる。
【００３２】
グリップ１０をその上方から平面的に見た場合の凹部１５の形状（即ち、図２（ａ）における凹部１５の形状）は、例えば水滴形、楕円形や長方形、或いは円形や矩形等、様々な形状を採ることができる。当該グリップ１０の持ち方の自由度の観点からは、凹部１５は、柄部１３が延びる方向を長手方向とする細長い形状であることが望ましい。また、凹部１５の短手方向（例えば図２（ｂ）における左右方向）の断面形状は、凹部１５の端部から凹部１５の中央に向かうほど、深くなるような形状であることが望ましい。
【００３３】
柄部１３には、センサリング部１１から離れる方向（例えば、図２（ｄ）では上方）に突出する突起部１４が設けられている。突起部１４の形状は、例えば柱状、半球状、錐台状等、様々な形状を採ることができる。突起部１４を設けることにより、例えば電子聴診器２００を被験者に押し当てる際に、ユーザが首部１２を親指と人差し指とで挟むと共に、手の母子球に突起部１４を当てるといった３点による保持（図４（ａ）参照）が可能となり、当該グリップ１０をより安定に持つことができる。
【００３４】
突起部１４には、孔１４ａが形成されている（図２（ｂ）、（ｅ）参照）。孔１４ａに、例えばネックストラップ、リールクリップ、バンドクリップ等を取り付ければ、電子聴診器２００の落下を好適に防止することができると共に、ユーザが電子聴診器２００を携行する際に便利である。
【００３５】
柄部１３には、例えば電源ケーブルや信号ケーブルを取り付けるためのキャノンコネクタ１６が設けられている。尚、例えばグリップ１０に電池が内蔵され、無線を介してイヤフォン２６等に信号が送信される場合には、キャノンコネクタ１６は不要である。
【００３６】
ここで、センサリング部１１、首部１２及び柄部１３は中空であるので、電子聴診器２００を構成する、例えば電子回路等を配置する際の自由度を向上させることができる。
【００３７】
実施例に係るグリップ１０のサイズの一例について説明する。図２（ｄ）における距離ｄ１（即ち、グリップ１０の全長に相当）は、９５ｍｍ（ミリメートル）である。図２（ｄ）における距離ｄ２（即ち、センサモジュール２０の下面から柄部１３の首部１２と接続されている端部上面までの距離）は、４８ｍｍである。図２（ｄ）における距離ｄ３（即ち、センサモジュール２０の下面から突起部１４の上面までの距離）は、７６ｍｍである。図２（ａ）における距離ｄ４（即ち、柄部１３の長手方向の長さに相当）は、８６ｍｍである。図２（ｅ）における距離ｄ５（即ち、センサリング部１１の直径に相当）は、４５ｍｍである。
【００３８】
（グリップの持ち方）
次に、上述のように構成されたグリップ１０の持ち方の一例について、図４を参照して説明する。図４は、実施例に係る電子聴診器のグリップの持ち方の一例を示す図である。
【００３９】
図４（ａ）に示す持ち方は、グリップ１０の首部１２を、親指と人差し指とで挟むと共に、手の母子球に突起部１４を当て、３点でグリップ１０を保持する持ち方である。
【００４０】
図４（ｂ）に示す持ち方は、掌と薬指及び小指とでグリップ１０の柄部１３を握り、親指、人差し指及び中指を首部１２に添える持ち方である。
【００４１】
図４（ｃ）に示す持ち方は、グリップ１０の凹部１５に当てた親指と、人差し指及び中指（必要に応じて、薬指等も）とで柄部１３を挟む持ち方である。
【００４２】
図４（ｄ）に示す持ち方は、グリップ１０の首部１２を、人差し指と中指とで挟む持ち方である（即ち、従来の聴診器のチェストピースの持ち方である）。
【００４３】
このように、本実施例に係る電子聴診器２００のグリップ１０は、様々な持ち方を可能にする。
【００４４】
本発明は、上述した実施形態に限られるものではなく、特許請求の範囲及び明細書全体から読み取れる発明の要旨或いは思想に反しない範囲で適宜変更可能であり、そのような変更を伴う生体音取得装置のグリップもまた本発明の技術的範囲に含まれるものである。
【符号の説明】
【００４５】
１０…グリップ、１１…センサリング部、１１ａ…開口、１２…首部、１３…柄部、１４…突起部、１４ａ…孔、１５…凹部、２０…センサモジュール、２００…電子聴診器
【図１】
2017060667.tif 000003
【図３】
2017060667.tif 000004
【図２】
2017060667.tif 000005
【図４】
2017060667.tif 000006